(57)【要約】【課題】  レンズユニットが交換可能なカメラにおいて、撮像された被写体画像に対応したレンズ特性を個別に把握できるカメラを提供する。【解決手段】  カメラ本体３と、被写体の像を結像させる撮影光学系１７を有するレンズユニット５と、被写体の像を撮像して電気的な画像情報に変換する撮像手段７と、撮影光学系１７に固有の光学特性を記憶する光学特性記憶部２１と、画像情報と画像情報を取得する際に用いられたレンズユニット５の光学特性と、を対応付けて記憶する画像記憶部２３と、画像情報を、画像情報に対応付けられた光学特性に基づいて画像処理する画像処理手段１９と、が設けられたことを特徴とする。【選択図】  図１
2008091999.tif 000002
【特許請求の範囲】
【請求項１】
カメラ本体と、
被写体の像を結像させる撮影光学系を有するレンズユニットと、
前記被写体の像を撮像して電気的な画像情報に変換する撮像手段と、
前記撮影光学系に固有の光学特性を記憶する光学特性記憶部と、
前記画像情報と、該画像情報を取得する際に用いられた前記レンズユニットの光学特性と、を対応付けて記憶する画像記憶部と、
前記画像情報を、該画像情報に対応付けられた光学特性に基づいて画像処理する画像処理手段と、
が設けられたカメラ。
【請求項２】
表示部と、
前記画像処理手段により画像処理された画像処理後の画像データ、および、該画像処理手段による画像処理される前の画像処理前の画像データを、おのおの信号処理して各画像表示データを生成するとともに、
前記表示部に前記画像処理後の画像データおよび、前記画像処理前の画像データを比較表示させる表示画像信号処理手段と、
が設けられた請求項１記載のカメラ。
【請求項３】
前記画像記憶部が、前記画像情報と、前記レンズユニットの識別情報と、を対応付けて記憶する請求項１または２に記載のカメラ。
【請求項４】
前記光学特性記憶部が前記レンズユニットに備えられ、前記レンズユニットとともにカメラ本体に着脱可能に取り付けられ、
前記カメラ本体には、前記光学特性記憶部から前記光学特性を読み取る光学特性読取部が設けられている請求項１記載のカメラ。
【発明の詳細な説明】
【技術分野】
【０００１】
本発明は、カメラに関する。
【背景技術】
【０００２】
近年、ＣＣＤ（Ｃｈａｒｇｅ  Ｃｏｕｐｌｅｄ  Ｄｅｖｉｃｅｓ）等の撮像素子をカメラ本体内に配置した、いわゆるデジタル電子カメラが普及したため、カメラ本体内には画像処理ＣＰＵ（Ｃｅｎｔｒａｌ  Ｐｒｏｃｅｓｓｉｎｇ  Ｕｎｉｔ）を装備したカメラが広く一般的になっている。この画像処理ＣＰＵは、撮像素子により取得された電気的な画像情報をデジタル化した画像データの補正処理等を行うものである。
画像処理ＣＰＵにおける画像データの補正処理は、カメラに取り付けられたレンズユニットの光学特性に基づいて行われることがある。そのため、カメラ本体に対して着脱可能に取り付けられる交換レンズ式のカメラの場合に、精度よく所望の補正処理を行うためには、レンズユニットを交換する毎に、画像処理ＣＰＵにおける補正処理を、それぞれのレンズユニットの光学特性に応じて異ならせる必要があった。
【０００３】
そこで、各レンズユニットに当該レンズユニット固有のレンズ特性コードを保持させることにより、補正処理に使用するレンズ特性を切り替えるカメラが開示されている（例えば、特許文献１参照。）。
具体的には、レンズユニットがカメラ本体に取り付けられた際に、画像処理ＣＰＵが該レンズユニットのレンズ特性コードを読み込むことにより、補正処理に使用するレンズ特性が切り替えられている。
【特許文献１】特開平１１−１１２８５９号公報
【発明の開示】
【発明が解決しようとする課題】
【０００４】
しかしながら、上述の特許文献１に記載のカメラでは、補正処理を行った後の画像データのみが記憶媒体に記憶されているために、撮影途中でレンズユニットを交換した場合に、記憶媒体に記憶されている画像データからは、撮影に用いたレンズユニットのレンズ特性を個別に把握できないという問題があった。
【０００５】
本発明は、上記の課題を解決するためになされたものであって、レンズユニットが交換可能なカメラにおいて、撮像された被写体画像に対応したレンズ特性を個別に把握できるカメラを提供することを目的とする。
【課題を解決するための手段】
【０００６】
上記目的を達成するために、本発明は、以下の手段を提供する。
本発明は、カメラ本体と、被写体の像を結像させる撮影光学系を有するレンズユニットと、前記被写体の像を撮像して電気的な画像情報に変換する撮像手段と、前記撮影光学系に固有の光学特性を記憶する光学特性記憶部と、前記画像情報と、該画像情報を取得する際に用いられた前記撮像光学系の光学特性と、を対応付けて記憶する画像記憶部と、前記画像情報を、該画像情報に対応付けられた光学特性に基づいて画像処理する画像処理手段と、が設けられたカメラ。
【０００７】
本発明によれば、上記画像処理前の画像情報と上記光学特性とが対応付けられて画像記憶部に記憶されているため、例えば、それぞれ光学特性の異なる撮像光学系を備えた複数のレンズユニットを用いて被写体の撮像が行われた場合には、各画像情報を撮像する際に用いられたそれぞれの撮影光学系の光学特性が、撮像された各画像情報に対応付けられて記憶される。そのため、レンズユニットが交換された後であっても、各画像情報の取得に用いられた撮影光学系の光学特性は個別に把握される。
一方、画像記憶部に記憶された画像情報は、対応付けられた光学特性に基づいて画像処理手段において画像処理される。そのため、レンズユニットが交換されても、画像処理前の画像情報に対して、当該画像情報の撮影に用いられた撮像光学系の光学特性に基づいて、適切な画像処理が施される。
【０００８】
上記発明においては、表示部と、前記画像処理手段により画像処理された画像処理後の画像情報、および、該画像処理手段による画像処理される前の画像処理前の画像情報を、おのおの信号処理して各画像表示情報を生成するとともに、前記表示部に前記画像処理後の画像情報および、前記画像処理前の画像情報を比較表示させる表示画像信号処理手段と、が設けられたことが望ましい。
【０００９】
本発明によれば、画像処理前および画像処理後の画像情報は、おのおのが表示画像信号処理手段において信号処理されて画像表示情報に変換される。そして、画像処理前および画像処理後の画像情報に係る画像表示情報は、両者を比較できる状態で表示部に表示される。
【００１０】
上記発明においては、前記画像記憶部が、前記画像情報と、前記レンズユニットの識別情報と、を対応付けて記憶することが望ましい。
本発明によれば、画像情報とレンズユニットの識別情報とが対応付けられることにより、レンズユニットが交換されても、画像情報を取得する際に用いたレンズユニットが把握される。レンズユニットが把握されると、レンズユニットに搭載された撮像光学系の光学特性が把握され、被写体の撮像に用いた撮影光学系の光学特性が把握される。
【００１１】
上記発明においては、前記光学特性記憶部が前記レンズユニットに備えられ、前記レンズユニットとともにカメラ本体に着脱可能に取り付けられ、前記カメラ本体には、前記光学特性記憶部から前記光学特性を読み取る光学特性読取部が設けられていることが望ましい。
【００１２】
本発明によれば、光学特性記憶部がレンズユニットとともにカメラ本体に着脱可能に取り付けられているため、レンズユニットが交換されると光学特性記憶部も交換される。光学特性読取部は、交換後の光学特性記憶部から光学特性を読み込み、画像記憶部に出力する。そのため、レンズユニットが交換されても、画像記憶部には、画像処理前の画像情報と、交換後のレンズユニットに係る光学特性とが対応付けられた状態で記憶される。
【発明の効果】
【００１３】
本発明のカメラによれば、画像処理前の画像情報と光学特性とが対応付けられて画像記憶部に記憶されているため、レンズユニットが交換された後であっても、撮像された被写体画像に対応したレンズ特性を個別に把握することができるという効果を奏する。
【発明を実施するための最良の形態】
【００１４】
〔第１の実施形態〕
以下、本発明の第１の実施形態に係るカメラについて図１および図２を参照して説明する。
図１は、本実施形態に係るカメラの全体構成を説明するブロック図である。
本実施形態に係るカメラ１は、ＣＣＤなどの撮像素子を用いて被写体の像を撮像するデジタル電子カメラである。
カメラ１は、図１に示すように、カメラ本体３と、レンズユニット５とを備えている。
レンズユニット５は後述するカメラ本体３の筐体３Ａに公知の着脱機構を介して着脱可能に取り付けられている。筐体３Ａには、焦点距離等が異なる様々な種類のレンズユニット５が取り付け可能とされている。
【００１５】
カメラ本体３は、被写体の像を撮像する撮像素子７などを内部に搭載するものであり、カメラ本体３にはレンズユニット５が着脱可能に取り付けられている。カメラ本体３は、図１に示すように、筐体３Ａと、撮像素子（撮像手段）７と、本体側制御部８と、第１通信部（光学特性読取部）１１ａと、表示部１５と、を備えている。
【００１６】
筐体３Ａは、カメラ本体３の外装を構成するものであり、内部に撮像素子７、本体側制御部８、第１通信部１１aおよび表示部１５などが収められている。
撮像素子７は、撮像素子７上に結像された被写体の像に基づいて、撮像信号（電気的な画像情報）を生成するものである。撮像素子７は、レンズユニット５により集光された被写体の像が、撮像素子７上に結像する位置に配置されている。撮像素子７から出力された撮像信号は、本体側制御部８の信号処理回路９に入力される。なお、撮像素子７としては、ＣＣＤやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの公知の撮像素子を用いることができ、特に限定するものではない。
【００１７】
本体側制御部８には、信号処理回路９と、画像処理部（画像処理手段）１９と、画像記憶部２３と、表示画像信号処理部１３とが備えられている。また、本体側制御部８には、本体側入力部１４が配置されている。
【００１８】
信号処理回路９は、撮像素子７から出力された撮像信号をアナログデジタル変換処理等の信号処理をして画像データを生成するものである。信号処理回路９には、撮像素子７から撮像信号が入力される。信号処理回路９において信号処理された画像データは、画像処理部１９および表示画像信号処理部１３に出力される。
【００１９】
画像処理部１９は、レンズ系１７のレンズ特性に基づいて画像データに画像処理を施すものである。画像処理部１９には、信号処理回路９から画像データが入力されるとともに、第２通信部１１ｂからレンズ特性が入力される。画像処理部１９からは、表示画像信号処理部１３に画像処理後の画像データが出力されるとともに、画像記憶部２３に画像処理前の画像データおよびそれに対応付けられたレンズ特性が出力される。なお、画像処理部１９としては、ＣＰＵやＤＳＰ（Ｄｉｇｉｔａｌ  Ｓｉｇｎａｌ  Ｐｒｏｃｅｓｓｏｒ）などの公知の演算素子を用いることができ、特に限定するものではない。
【００２０】
画像記憶部２３は、画像処理前の画像データおよびレンズ特性を対応付けて記憶するものである。画像記憶部２３と画像処理部１９との間では、画像処理前の画像データおよびそれに対応付けられたレンズ特性の入出力が行われている。さらに、画像記憶部２３は、画像処理前の画像データのみも出力できるように構成されていてもよい。
【００２１】
表示画像信号処理部１３は、画像処理前の画像データや画像処理後の画像データを信号処理して画像表示データを生成するものである。表示画像信号処理部１３には、信号処理回路９から画像処理前の画像データが入力されるとともに、画像処理部１９から画像処理後の画像データが入力される。表示画像信号処理部１３からは、表示部１５に画像表示データが出力される。
【００２２】
本体側入力部１４は、撮影者が画像処理部１９において用いられる画像処理アルゴリズムを規定するパラメータ値、例えば補正パラメータ値を入力するものであり、入力されたパラメータ値は本体側制御部８に出力される。
なお、画像処理アルゴリズムを規定するパラメータ値は、本体側入力部１４に入力されてもよいし、後述するレンズユニット側入力部２２に入力されてもよく、特に限定するものではない。
【００２３】
第１通信部１１ａは、レンズユニット５に設けられた第２通信部１１ｂとともに通信部１１を構成し、レンズ特性の読込みを行うものである。第１通信部１１ａには、第２通信部１１ｂからレンズ特性が入力される。第１通信部１１ａからは、画像処理部１９にレンズ特性が出力される。
【００２４】
表示部１５は、ＬＣＤ（液晶ディスプレイ）等からなるものであって、画像表示データに基づいて被写体の画像を表示するものである。表示部１５には、本体側制御部８の表示画像信号処理部１３から画像表示データが入力される。
【００２５】
レンズユニット５は、内部に備えられたレンズ系（撮像光学系）１７により被写体の像を撮像素子７に結像させるものであり、カメラ本体３に着脱可能に取り付けられている。レンズユニット５は、図１に示すように、レンズ系１７と、第２通信部１１ｂと、レンズ特性記憶部（光学特性記憶部）２１と、レンズユニット側入力部２２とを備えている。
【００２６】
レンズ系１７は、被写体からの光を撮像素子７の受光面上に結像させるものである。
第２通信部１１ｂは、カメラ本体３に設けられた第１通信部１１ａとともに通信部１１を構成し、レンズ特性の読込みを行うものである。第２通信部１１ｂには、レンズ特性記憶部２１からレンズ特性が入力される。第２通信部１１ｂからは、第１通信部１１ａにレンズ特性が出力される。
【００２７】
レンズ特性記憶部２１は、レンズ系１７のレンズ特性が記憶されている。レンズ特性記憶部２１からは、第２通信部１１ｂにレンズ特性が出力される。なお、レンズ特性としては、レンズ系１７の歪曲収差などの光学特性を例示することができる。
また、レンズ特性記憶部２１には、レンズユニット５の識別情報が記憶されていてもよい。レンズユニット５の識別情報としては、レンズ系１７の焦点距離や、ｆナンバーや、ズーム倍率、あるいは、レンズユニット５の製造メーカ情報などが挙げられる。
この識別情報は、画像処理前の画像データと同時に表示部１５に表示されてもよいし、画像処理後の画像データと同時に表示部１５に表示されてもよい。あるいは、画像処理前の画像データおよび画像処理後の画像データが表示部１５に比較表示される際に、同時に表示されてもよく、特に限定するものではない。
【００２８】
レンズユニット側入力部２２は、撮影者が画像処理部１９において用いられる画像処理アルゴリズムを規定するパラメータ値、例えば補正パラメータ値を入力するものであり、入力されたパラメータ値はレンズ特性記憶部２１に出力され、記憶される。
なお、画像処理アルゴリズムを規定するパラメータ値は、レンズユニット側入力部２２に入力されてもよいし、前述した本体側入力部１４に入力されてもよく、特に限定するものではない。
【００２９】
次に、上記の構成からなるカメラ１における動作および撮像画像処理方法について説明する。
図２は、図１のカメラの動作を説明するフローチャートである。
被写体の撮影時には、レンズユニット５のレンズ系１７により結像された被写体の像は撮像素子７により電気信号である撮像データに変換される（ステップＳ１）。
【００３０】
撮像データは撮像素子７から本体側制御部８の信号処理回路９に入力される。信号処理回路９は撮像データを信号処理し、表示画像信号処理部１３および画像処理部１９において処理可能な画像データに変換する。画像データは信号処理回路９から表示画像信号処理部１３に画像処理前の画像データとして入力される。表示画像信号処理部１３は、画像処理前の画像データを表示部１５に表示できる画像表示データに変換する。画像表示データは表示部１５に入力されるとともに、キャッシュメモリに記憶される。表示部１５はキャッシュメモリに記憶された画像処理された被写体の画像と同一の画像を表示する（ステップＳ２）。
【００３１】
画像処理前の画像データは画像処理部１９にも入力される。画像処理部１９は、第１通信部１１ａに対してレンズ特性記憶部２１からレンズ特性の読み込みを指示する読込み信号を出力する（ステップＳ３）。
第１通信部１１ａは読み込み信号を第２通信部１１ｂに送信する。第２通信部１１ｂは読込み信号をレンズ特性記憶部２１に出力し、レンズ特性記憶部２１からレンズ特性を読み出す（ステップＳ４）。
第２通信部１１ｂは、読み出したレンズ特性を第１通信部１１ａに送信する（ステップＳ５）。
【００３２】
第１通信部１１ａは送信されたレンズ特性を受信し（ステップＳ６）、レンズ特性は本体側制御部８の画像処理部１９に入力される。画像処理部１９は画像処理前の画像データおよびレンズ特性を対応付けて、画像記憶部２３に出力する。画像記憶部２３は、画像処理前の画像データおよびレンズ特性を対応付けて記憶する（ステップＳ７）。
【００３３】
画像処理後の画像を表示する場合には、画像処理部１９はレンズ特性に基づいて画像処理前の画像データに画像処理を行い、画像処理後の画像データを生成する（ステップＳ８）。画像処理前の画像データおよびレンズ特性は、画像記憶部２３から読み出したものであってもよいし、画像処理部１９に設けられたキャッシュメモリに記憶された画像処理前のデータおよびレンズ特性を用いてもよく、特に限定するものでない。
【００３４】
画像処理後の画像データは、画像処理部１９から表示画像信号処理部１３に入力される。表示画像信号処理部１３は、画像処理後の画像データを表示部１５に表示できる画像表示データに変換する。画像表示データは表示部１５に入力されるとともに、キャッシュメモリに記憶される。表示部１５はキャッシュメモリに記憶された画像処理された被写体の画像と同一の画像を表示する（ステップＳ９）。
なお、キャッシュメモリには、表示部１５に現在表示されている画像以外の画像に関する画像表示データも記憶されている。例えば、撮像された画像が、撮像した順番に表示部１５に表示される場合には、現在表示されている画像の次に表示される画像に関する画像表示データ等もキャッシュメモリに予め記憶される。
【００３５】
なお、画像処理部１９における処理法方を規定する補正パラメータ値を本体側入力部１４またはレンズユニット側入力部２２から変更可能とすることもできる。すなわち、補正パラメータ値を変更することにより、諸収差の補正の程度を変更することが可能である。
【００３６】
上記の構成によれば、画像処理前の画像データとレンズ特性とが対応付けられて画像記憶部２３に記憶されているため、例えば、それぞれレンズ特性の異なるレンズ系１７を備えた複数のレンズユニット５を用いて被写体の撮像が行われた場合には、各画像データを撮像する際に用いられたレンズ系１７のレンズ特性が、撮像された各画像データに対応付けられて画像記憶部２３に記憶される。そのため、レンズユニットが交換された後であっても、各画像データの取得に用いられたレンズ系１７のレンズ特性を個別に把握することができる。
【００３７】
一方、画像記憶部２３に記憶された画像データは、対応付けて記憶されたレンズ特性に基づいて画像処理部１９において画像処理される。そのため、撮影に用いられたレンズユニット５が交換されても、画像処理前の画像データに対して、当該画像データの撮影に用いられたレンズ系１７のレンズ特性に基づいて、適切な画像処理が施される。
【００３８】
画像記憶部２３に記憶された画像処理前の画像データおよび対応するレンズ特性を、例えば、パーソナルコンピュータにインストールされた画像処理ソフトウエア等を用いて画像処理することで、カメラ１の画像処理部１９において行われる画像処理以外の画像処理を画像処理前の画像データに対して施すことができる。
一般に、パーソナルコンピュータにインストールされる画像処理ソフトウエア等には、レンズ系１７のレンズ特性が記憶されておらず、画像処理前の画像データのみを画像処理ソフトウエア等に入力しても、レンズ特性による諸収差などを十分に画像処理することは困難である。
しかしながら、本実施形態のカメラ１では、画像処理前の画像データに対応するレンズ特性を個別に把握できるため、画像処理前の画像データおよび対応するレンズ特性を画像処理ソフトウエア等に入力でき、レンズ特性による諸収差などを十分に画像処理することができる。
【００３９】
画像処理前および画像処理後の画像データは、おのおの表示画像信号処理部１３において信号処理されて画像表示データに変換される。そして、画像処理前および画像処理後の画像情報に係る画像表示データは、両者を比較できる状態で表示部１５に表示される。撮影者は、画像処理前および画像処理後の表示画像を比較することで、画像データに意図した画像処理を施すことができたか否かを判断することができる。
【００４０】
画像処理前の画像データとレンズユニット５の識別情報とが対応付けて記憶されているため、レンズユニットが交換されても、画像データを取得する際に用いたレンズユニット５を把握することができる。レンズユニット５が把握されると、レンズユニット５に搭載されたレンズ系１７のレンズ特性が把握され、被写体の撮像に用いたレンズ系１７のレンズ特性を把握することができる。
【００４１】
レンズ特性記憶部２１は、レンズユニット５とともにカメラ本体３に着脱可能に取り付けられているため、レンズユニット５が交換されるとレンズ特性記憶部２１も交換される。第１通信部１１ａは、交換後のレンズ特性記憶部２１からレンズ特性を読み込み、画像記憶部２３に出力する。そのため、レンズユニット５が交換されても、画像記憶部２３には、画像処理前の画像データと、交換後のレンズユニット５に係るレンズ特性とが対応付けられた状態で記憶される。
【００４２】
〔第１の実施形態の変形例〕
次に、本発明の第１の実施形態の変形例について図３および図４を参照して説明する。
本変形例のカメラの基本構成は、第１の実施形態と同様であるが、第１の実施形態とは、撮像画像処理方法が異なっている。よって、本変形例においては、図３および図４を用いて撮像画像処理方法の変更に関する構成および処理方法のみを説明し、その他の構成要素等の説明を省略する。
図３は、本変形例に係るカメラの全体構成を説明するブロック図である。
なお、第１の実施形態と同一の構成要素については、同一の符号を付してその説明を省略する。
【００４３】
本変形例に係るカメラ１０１は、第１の実施形態と同様に、ＣＣＤなどの撮像素子を用いて被写体の像を撮像するデジタル電子カメラである。
カメラ１０１は、図３に示すように、カメラ本体１０３と、レンズユニット５とを備えている。
レンズユニット５は後述する筐体３Ａに着脱可能に取り付けられている。筐体３Ａには、異なる種類のレンズユニット５が取り付け可能とされている。
【００４４】
カメラ本体１０３は、被写体の像を撮像する撮像素子７などを内部に搭載するものであり、カメラ本体１０３にはレンズユニット５が着脱可能に取り付けられている。カメラ本体３は、図３に示すように、筐体３Ａと、撮像素子７と、本体側制御部１０８と、第１通信部１１ａと、表示部１５とを備えている。
【００４５】
本体側制御部１０８には、信号処理回路１０９と、画像処理部（画像処理手段）１１９と、画像記憶部２３と、表示画像信号処理部１１３とが備えられている。また、本体側制御部１０８には、本体側入力部１４が配置されている。
【００４６】
信号処理回路１０９は、撮像素子７から出力された撮像データを信号処理して画像データを生成するものである。信号処理回路１０９には、撮像素子７から撮像データが入力される。信号処理回路１０９において信号処理された画像データは、画像処理部１１９に出力される。
【００４７】
画像処理部１１９は、レンズ系１７のレンズ特性に基づいて画像データに画像処理を施すものである。画像処理部１１９には、信号処理回路１０９から画像データが入力されるとともに、第２通信部１１ｂからレンズ特性が入力される。画像処理部１１９からは、表示画像信号処理部１１３に画像処理前の画像データや画像処理後の画像データが出力されるとともに、画像記憶部２３に画像処理前の画像データおよびそれに対応付けられたレンズ特性が出力される。
【００４８】
表示画像信号処理部１１３は、画像処理前の画像データや画像処理後の画像データを信号処理して画像表示データを生成するものである。表示画像信号処理部１１３には、画像処理部１９から正処理前の画像データや画像処理後の画像データが入力される。表示画像信号処理部１１３からは、表示部１５に画像表示データが出力される。
【００４９】
次に、上記の構成からなるカメラ１０１における動作および撮像画像処理方法について説明する。
図４は、図３のカメラの動作を説明するフローチャートである。
被写体の撮影時には、レンズユニット１０５のレンズ系１７により結像された被写体の像は撮像素子７により電気信号である撮像データに変換される（ステップＳ１）。
撮像データは撮像素子７から本体側制御部１０８の信号処理回路１０９に入力される。信号処理回路１０９は撮像データを信号処理し、表示画像信号処理部１１３および画像処理部１１９において処理可能な画像データに変換する。画像データは信号処理回路１０９から画像処理部１１９に入力される。画像処理部１１９は、第１通信部１１ａに対してレンズ特性記憶部２１からレンズ特性の読み込みを指示する読込み信号を出力する（ステップＳ１３）。
【００５０】
第１通信部１１ａは読み込み信号を第２通信部１１ｂに送信する。第２通信部１１ｂは読込み信号をレンズ特性記憶部２１に出力し、レンズ特性記憶部２１からレンズ特性を読み出す（ステップＳ４）。
第２通信部１１ｂは、読み出したレンズ特性を第１通信部１１ａに送信する（ステップＳ５）。
【００５１】
第１通信部１１ａは送信されたレンズ特性を受信し（ステップＳ６）、レンズ特性は本体側制御部１０８の画像処理部１１９に入力される。画像処理部１１９は画像処理前の画像データおよびレンズ特性を対応付けて、画像記憶部２３に出力する。画像記憶部２３は、画像処理前の画像データおよびレンズ特性を対応付けて記憶する（ステップＳ７）。
【００５２】
画像処理部１１９はレンズ特性に基づいて画像処理前の画像データに画像処理を行い、画像処理後の画像データを生成する（ステップＳ８）。画像処理前の画像データおよびレンズ特性は、画像記憶部２３から読み出したものであってもよいし、上述したキャッシュメモリに記憶された画像処理前のデータおよびレンズ特性を用いてもよく、特に限定するものでない。
【００５３】
画像処理部１１９は、画像処理前の画像データおよび画像処理後の画像データを表示画像信号処理部１１３に出力する。表示画像信号処理部１１３は、画像処理前および画像処理後の画像データを表示部１５が表示できる画像表示データに変換する。画像処理前および画像処理後の画像表示データは表示部１５に入力されるとともに、キャッシュメモリに記憶される。表示部１５はキャッシュメモリに記憶された画像処理前および画像処理後の画像と同一の画像を比較表示する（ステップＳ１９）。
画像処理前および画像処理後の画像は、表示部１５の表示面を分割して同時に表示しても良いし、時間をずらして交互に表示してもよく、特に限定するものではない。
【００５４】
撮影者は、表示部１５に表示された画像処理前および画像処理後の画像のどちらを保存するか選択する（ステップＳ２０）。画像記憶部２３には、選択された画像データが記憶される（ステップＳ２１）。具体的には、画像処理前の画像が選択された場合には、画像処理前の画像データが、そのまま画像記憶部２３に保存される。一方、画像処理後の画像が選択された場合には、更に画像処理後の画像データが、レンズ特性と対応付けて画像記憶部２３に保存される。
【００５５】
上記の構成によれば、撮影者は、表示部１５に表示された画像処理前および画像処理後の表示画像を比較することで、画像データに意図した画像処理を施すことができたか否かを判断することができるとともに、画像処理後の画像データを保存するか否かを選択することができる。
【００５６】
〔第２の実施形態〕
次に、本発明の第２の実施形態について図５および図６を参照して説明する。
本実施形態のカメラの基本構成は、第１の実施形態と同様であるが、第１の実施形態とは、画像処理部の配置が異なっている。よって、本実施形態においては、図５および図６を用いて画像処理部周辺のみを説明し、その他の構成要素等の説明を省略する。
図５は、本実施形態に係るカメラの全体構成を説明するブロック図である。
なお、第１の実施形態と同一の構成要素については、同一の符号を付してその説明を省略する。
【００５７】
本実施形態に係るカメラ２０１は、ＣＣＤなどの撮像素子を用いて被写体の像を撮像するデジタル電子カメラである。
カメラ２０１は、図５に示すように、カメラ本体２０３と、レンズユニット２０５とを備えている。
レンズユニット２０５は筐体３Ａに着脱可能に取り付けられている。筐体３Ａには、異なる種類のレンズユニット２０５が取り付け可能とされている。
【００５８】
カメラ本体２０３は、被写体の像を撮像する撮像素子７などを内部に搭載するものであり、カメラ本体２０３にはレンズユニット２０５が着脱可能に取り付けられている。カメラ本体２０３は、図５に示すように、筐体３Ａと、撮像素子７と、本体側制御部２０８と、第１通信部２１１ａと、表示部１５と、を備えている。
【００５９】
本体側制御部２０８には、信号処理回路２０９と、画像記憶部２２３と、表示画像信号処理部２１３とが備えられている。また、本体側制御部２０８には、本体側入力部１４が配置されている。
【００６０】
信号処理回路２０９は、撮像素子７から出力された撮像データを信号処理して画像データを生成するものである。信号処理回路２０９には、撮像素子７から撮像データが入力される。信号処理回路２０９において信号処理された画像データは、第１通信部２１１ａおよび表示画像信号処理部２１３に出力される。
【００６１】
画像記憶部２２３は、画像処理前の画像データおよびレンズ特性を対応付けて記憶するものである。画像記憶部２２３と画像処理部１９との間では、通信部２１１を介して、対応付けられた画像処理前の画像データおよびレンズ特性の入出力が行われる。
【００６２】
表示画像信号処理部２１３は、画像処理前の画像データや画像処理後の画像データを信号処理して画像表示データを生成するものである。表示画像信号処理部２１３には、信号処理回路２０９から画像処理前の画像データが入力されるとともに、第１通信部２１１ａから画像処理後の画像データが入力される。表示画像信号処理部２１３からは、表示部１５に画像表示データが出力される。
【００６３】
第１通信部２１１ａは、レンズユニット２０５に設けられた第２通信部２１１ｂとともに通信部２１１を構成し、画像データなどの交換を行うものである。第１通信部２１１ａには、第２通信部２１１ｂから画像処理前の画像データや画像処理後の画像データが入力される。第１通信部２１１ａからは、本体側制御部２０８の表示画像信号処理部２１３に画像処理前の画像データや画像処理後の画像データが出力されるとともに、本体側制御部２０８の画像記憶部２２３に画像処理前の画像データおよびそれに対応付けられたレンズ特性が出力される。
【００６４】
レンズユニット２０５は、内部に備えられたレンズ系１７により被写体の像を撮像素子７に結像させるものであり、カメラ本体２０３に着脱可能に取り付けられている。レンズユニット２０５は、図５に示すように、レンズ系１７と、第２通信部２１１ｂと、画像処理部（画像処理手段）２１９と、レンズ特性記憶部（光学特性記憶部）２２１と、を備えている。
【００６５】
第２通信部２１１ｂは、カメラ本体２０３に設けられた第１通信部２１１ａとともに通信部２１１を構成し、画像処理前の画像データや画像処理後の画像データの交換を行うものである。第２通信部２１１ｂには、第１通信部２１１ａから画像処理前の画像データが入力されるとともに、画像処理部２１９から画像処理後の画像データや、画像処理前の画像データおよびそれと対応付けられたレンズ特性が入力される。第２通信部２１１ｂからは、画像処理部２１９に画像処理前の画像データが出力されるとともに、第１通信部２１１ａに画像処理後の画像データや、画像処理前の画像データおよびそれと対応付けられたレンズ特性が出力される。
【００６６】
画像処理部２１９は、レンズ系１７のレンズ特性に基づいて画像データに画像処理を施すものである。画像処理部２１９には、第２通信部２１１ｂから画像処理前の画像データが入力されるとともに、レンズ特性記憶部２２１からレンズ特性が入力される。画像処理部２１９からは、第２通信部２１１ｂに画像処理後の画像データが出力されるとともに、画像処理前の画像データおよびそれに対応付けられたレンズ特性が出力される。また、画像処理部２１９には、レンズユニット２０５のレンズ系１７の特性に合った画像処理を行うアルゴリズムが備えられている。
【００６７】
レンズ特性記憶部２２１は、レンズ系１７のレンズ特性が記憶されている。レンズ特性記憶部２２１からは、画像処理部２１９にレンズ特性が出力される。なお、レンズ特性としては、レンズ系１７の歪曲収差などの光学特性を例示することができる。
また、レンズ特性記憶部２２１には、第１の実施形態と同様に、レンズユニット５の識別情報が記憶されていてもよい。
この識別情報は、第１の実施形態と同様に、画像処理前の画像データと同時に表示部１５に表示等されてもよく、特に限定するものではない。
【００６８】
次に、上記の構成からなるカメラ２０１における動作および撮像画像処理方法について説明する。
図６は、図５のカメラの動作を説明するフローチャートである。
被写体の撮影時には、レンズユニット５のレンズ系１７により結像された被写体の像は撮像素子７により電気信号である撮像データに変換される（ステップＳ１）。
撮像データは撮像素子７から本体側制御部２０８の信号処理回路９に入力される。信号処理回路９は撮像データを信号処理し、表示画像信号処理部１３および画像処理部１９において処理可能な画像データに変換する。画像データは信号処理回路９から表示画像信号処理部１３に画像処理前の画像データとして入力される。表示画像信号処理部１３は、画像処理前の画像データを表示部１５に表示できる画像表示データに変換する。画像表示データは表示部１５に入力されるとともに、キャッシュメモリに記憶される。表示部１５はキャッシュメモリに記憶された画像処理された被写体の画像と同一の画像を表示する（ステップＳ２）。
【００６９】
画像処理前の画像データは第１通信部２１１ａにも入力される。第１通信部２１１ａは、第２通信部２１１ｂに対して画像処理前の画像データを送信する（ステップＳ２３）。
第２通信部２１１ｂは、第１通信部２１１ａから画像処理前の画像データを受信する（ステップＳ２４）。画像処理前の画像データは、第２通信部２１１ｂから画像処理部２１９に入力される。画像処理部２１９は、レンズ特性記憶部２２１からレンズ特性を読み出す（ステップＳ２５）。
【００７０】
画像処理部２１９はレンズ特性およびレンズ系１７の特性に合ったアルゴリズムに基づいて画像処理前の画像データに画像処理を行い、画像処理後の画像データを生成する（ステップＳ２６）。画像処理部２１９からは、第２通信部２１１ｂに画像処理後の画像データと、画像処理前の画像データおよびそれに対応付けられたレンズ特性とが出力される。
第２通信部２１１ｂは、第１通信部２１１ａに画像処理後の画像データと、画像処理前の画像データおよびそれに対応付けられたレンズ特性とを送信する（ステップＳ２７）。
【００７１】
第１通信部２１１ａは、第２通信部２１１ｂから画像処理後の画像データと、画像処理前の画像データおよびそれに対応付けられたレンズ特性とを受信する（ステップＳ２８）。画像処理前の画像データおよびそれに対応付けられたレンズ特性は、第１通信部２１１ａから本体側制御部２０８の画像記憶部２２３に入力され、画像記憶部２２３に記憶される（ステップＳ２９）。
【００７２】
画像処理後の画像データは、画像処理部２１９から本体側制御部２０８の表示画像信号処理部２１３に入力される。表示画像信号処理部２１３は、画像処理後の画像データを表示部１５に表示できる画像表示データに変換する。画像表示データは表示部１５に入力されるとともに、キャッシュメモリに記憶される。表示部１５はキャッシュメモリに記憶された画像処理された被写体の画像と同一の画像を表示する（ステップＳ９）。
【００７３】
なお、画像記憶部２２３に記憶された画像処理前の画像データおよびそれと対応付けられたレンズ特性に基づいて、画像処理された被写体の画像を表示する場合には、画像処理部２１９は、通信部２１１を介して、本体側制御部２０８の画像記憶部２２３から画像処理前の画像データおよびそれと対応付けられたレンズ特性を読み込む。画像処理部２１９は、読み込んだレンズ特性に基づいて、画像処理前の画像データに画像処理を行い画像処理後の画像データを生成する。画像処理後の画像データは通信部２１１を介して本体側制御部２０８の表示画像信号処理部２１３に入力される。
【００７４】
表示画像信号処理部２１３は、画像処理後の画像データを表示部１５に表示できる画像表示データに変換する。画像表示データは表示部１５に入力されるとともに、キャッシュメモリに記憶される。表示部１５はキャッシュメモリに記憶された画像処理された被写体の画像と同一の画像を表示する。
【００７５】
上記の構成によれば、画像処理部２１９がレンズユニット２０５に備えられ、レンズユニット２０５および画像処理部２１９がカメラ本体２０３に同時に着脱される。そのため、新しいレンズ特性を有するレンズユニットや、新しい画像処理アルゴリズムで画像処理する必要があるレンズユニットに交換されても、新しいレンズ特性や新しい画像処理アルゴリズムを用いて画像処理ができ、容易に良好な画像を得ることができる。
【００７６】
〔第２の実施形態の変形例〕
次に、本発明の第２の実施形態の変形例について図７および図８を参照して説明する。
本変形例のカメラの基本構成は、第２の実施形態と同様であるが、第２の実施形態とは、撮像画像処理方法が異なっている。よって、本変形例においては、図７および図８を用いて撮像画像処理方法の変更に関する構成および処理方法のみを説明し、その他の構成要素等の説明を省略する。
図７は、本変形例に係るカメラの全体構成を説明するブロック図である。
なお、第２の実施形態と同一の構成要素については、同一の符号を付してその説明を省略する。
【００７７】
本変形例に係るカメラ３０１は、第２の実施形態と同様に、ＣＣＤなどの撮像素子を用いて被写体の像を撮像するデジタル電子カメラである。
カメラ３０１は、図８に示すように、カメラ本体３０３と、レンズユニット２０５とを備えている。
レンズユニット２０５は筐体３Ａに着脱可能に取り付けられている。筐体３Ａには、異なる種類のレンズユニット２０５が取り付け可能とされている。
【００７８】
カメラ本体３０３は、被写体の像を撮像する撮像素子７などを内部に搭載するものであり、カメラ本体３０３にはレンズユニット２０５が着脱可能に取り付けられている。カメラ本体３０３は、図８に示すように、筐体３Ａと、撮像素子７と、本体側制御部３０８と、第１通信部２１１ａと、表示部１５と、を備えている。
【００７９】
本体側制御部３０８には、信号処理回路３０９と、画像記憶部２２３と、表示画像信号処理部３１３とが備えられている。また、本体側制御部３０８には、本体側入力部１４が配置されている。
【００８０】
信号処理回路３０９は、撮像素子７から出力された撮像データを信号処理して画像データを生成するものである。信号処理回路３０９には、撮像素子７から撮像データが入力される。信号処理回路３０９において信号処理された画像データは、第１通信部２１１ａに出力される。
【００８１】
表示画像信号処理部３１３は、画像処理前および画像処理後の画像データを信号処理して画像表示データを生成するものである。表示画像信号処理部３１３には、第１通信部２１１ａから画像処理後の画像データが入力される。表示画像信号処理部３１３からは、表示部１５に画像表示データが出力される。
【００８２】
次に、上記の構成からなるカメラ３０１における動作および撮像画像処理方法について説明する。
図８は、図７のカメラの動作を説明するフローチャートである。
被写体の撮影時には、レンズユニット５のレンズ系１７により結像された被写体の像は撮像素子７により電気信号である撮像データに変換される（ステップＳ１）。
撮像データは撮像素子７から本体側制御部３０８の信号処理回路３０９に入力される。信号処理回路３０９は撮像データを信号処理し、表示画像信号処理部１１３および画像処理部１１９において処理可能な画像データに変換する。画像処理前の画像データは第１通信部２１１ａに入力される。第１通信部２１１ａは、第２通信部２１１ｂに対して画像処理前の画像データを送信する（ステップＳ２３）。
【００８３】
以後、画像処理前の画像データおよびそれに対応付けられたレンズ特性が、画像記憶部２２３に記憶されるまでは（ステップＳ２９）、第２の実施形態と同様であるので、その説明を省略する。
【００８４】
表示画像信号処理部３１３には、画像処理部２１９から画像処理前の画像データおよび画像処理後の画像データが入力される。表示画像信号処理部３１３は、画像処理前および画像処理後の画像データを表示部１５が表示できる画像表示データに変換する。画像処理前および画像処理後の画像表示データは表示部１５に入力されるとともに、キャッシュメモリに記憶される。表示部１５は画像処理前および画像処理後の画像を比較表示する（ステップＳ３１）。
画像処理前および画像処理後の画像は、表示部１５の表示面を分割して同時に表示しても良いし、時間をずらして交互に表示してもよく、特に限定するものではない。
【００８５】
撮影者は、表示部１５に表示された画像処理前および画像処理後の画像のどちらを保存するか選択する（ステップＳ３２）。画像記憶部２２３には、選択された画像データが記憶される（ステップＳ３３）。具体的には、画像処理前の画像が選択された場合には、画像処理前の画像データが、そのまま画像記憶部２２３に保存される。一方、画像処理後の画像が選択された場合には、更に画像処理後の画像データが、レンズ特性と対応付けて画像記憶部２３に保存される。
【００８６】
上記の構成によれば、第１の実施形態の変形例と同様に、撮影者は、画像データに意図した画像処理を施すことができたか否かを判断することができるとともに、画像処理後の画像データを保存するか否かを選択することができる。
【００８７】
〔第３の実施形態〕
次に、本発明の第３の実施形態について図９および図１０を参照して説明する。
本実施形態のカメラの基本構成は、第１の実施形態と同様であるが、第１の実施形態とは、画像処理部および画像記憶部の配置が異なっている。よって、本実施形態においては、図９および図１０を用いて画像処理部および画像記憶部周辺のみを説明し、その他の構成要素等の説明を省略する。
図９は、本実施形態に係るカメラの全体構成を説明するブロック図である。
なお、第１の実施形態と同一の構成要素については、同一の符号を付してその説明を省略する。
【００８８】
本実施形態に係るカメラ４０１は、ＣＣＤなどの撮像素子を用いて被写体の像を撮像するデジタル電子カメラである。
カメラ４０１は、図９に示すように、カメラ本体４０３と、レンズユニット４０５とを備えている。
レンズユニット４０５は筐体３Ａに着脱可能に取り付けられている。筐体３Ａには、異なる種類のレンズユニット４０５が取り付け可能とされている。
【００８９】
カメラ本体４０３は、被写体の像を撮像する撮像素子７などを内部に搭載するものであり、カメラ本体４０３にはレンズユニット４０５が着脱可能に取り付けられている。カメラ本体４０３は、図９に示すように、筐体３Ａと、撮像素子７と、本体側制御部４０８と、第１通信部４１１ａと、表示部１５と、を備えている。
【００９０】
本体側制御部４０８には、信号処理回路４０９と、表示画像信号処理部４１３とが備えられている。また、本体側制御部４０８には、本体側入力部１４が配置されている。
【００９１】
信号処理回路４０９は、撮像素子７から出力された撮像データを信号処理して画像データを生成するものである。信号処理回路４０９には、撮像素子７から撮像データが入力される。信号処理回路４０９において信号処理された画像データは、第１通信部４１１ａおよび表示画像信号処理部４１３に出力される。
【００９２】
表示画像信号処理部４１３は、画像処理前の画像データや画像処理後の画像データを信号処理して画像表示データを生成するものである。表示画像信号処理部４１３には、信号処理回路４０９から画像処理前の画像データが入力されるとともに、第１通信部４１１ａから画像処理後の画像データが入力される。表示画像信号処理部４１３からは、表示部１５に画像表示データが出力される。
【００９３】
第１通信部４１１ａは、レンズユニット４０５に設けられた第２通信部４１１ｂとともに通信部４１１を構成し、画像処理前および画像処理後の画像データの交換を行うものである。第１通信部４１１ａには、本体側制御部４０８の信号処理回路４０９から画像処理前の画像データが入力されるとともに、第２通信部４１１ｂから画像処理前の画像データや画像処理後の画像データが入力される。第１通信部４１１ａからは、本体側制御部４０８の表示画像信号処理部４１３に画像処理前や画像処理後の画像データが出力される。
【００９４】
表示部１５は、画像表示データに基づいて被写体の画像を表示するものである。表示部１５には、本体側制御部４０８の表示画像信号処理部１３から画像表示データが入力される。
【００９５】
レンズユニット４０５は、内部に備えられたレンズ系１７により被写体の像を撮像素子７に結像させるものであり、カメラ本体４０３に着脱可能に取り付けられている。レンズユニット４０５は、図９に示すように、レンズ系１７と、第２通信部４１１ｂと、画像処理部（画像処理手段）４１９と、レンズ特性記憶部（光学特性記憶部）４２１と、画像記憶部４２３と、を備えている。
【００９６】
第２通信部４１１ｂは、カメラ本体４０３に設けられた第１通信部４１１ａとともに通信部４１１を構成し、レンズ特性の読込みを行うものである。第２通信部４１１ｂには、第１通信部４１１ａから画像処理前の画像データが入力されるとともに、画像処理部４１９から画像処理前の画像データや画像処理後の画像データが入力される。第２通信部４１１ｂからは、画像処理部４１９に画像処理前の画像データが出力されるとともに、第１通信部４１１ａに画像処理前の画像データや画像処理後の画像データが出力される。
【００９７】
画像処理部４１９は、レンズ系１７のレンズ特性に基づいて画像データに画像処理を施すものである。画像処理部４１９には、第２通信部４１１ｂから画像処理前の画像データが入力されるとともに、レンズ特性記憶部４２１からレンズ特性が入力される。また、画像処理部４１９には、画像記憶部４２３から画像処理前の画像データとそれに対応付けられたレンズ特性が入力される。画像処理部４１９からは、第２通信部４１１ｂに画像処理後の画像データが出力されるとともに、画像記憶部２３に画像処理前の画像データおよびそれに対応付けられたレンズ特性が出力される。また、画像処理部４１９には、レンズユニット４０５のレンズ系１７の特性に合った画像処理を行うアルゴリズムが備えられている。
【００９８】
レンズ特性記憶部４２１は、レンズ系１７のレンズ特性が記憶されている。レンズ特性記憶部４２１からは、画像処理部４１９にレンズ特性が出力される。なお、レンズ特性としては、レンズ系１７の歪曲収差などの光学特性を例示することができる。
【００９９】
画像記憶部４２３は、画像処理前の画像データおよびレンズ特性を対応付けて記憶するものである。画像記憶部４２３と画像処理部４１９との間では、画像処理前の画像データおよびそれに対応付けられたレンズ特性の入出力が行われる。
【０１００】
次に、上記の構成からなるカメラ４０１における動作および撮像画像処理方法について説明する。
図１０は、図９のカメラの動作を説明するフローチャートである。
本実施形態におけるカメラ４０１の動作は、画像の取得（ステップＳ１）から画像処理（ステップＳ２６）までは、第２の実施形態と同様であるので、その説明を省略する。
【０１０１】
画像処理部４１９からは、第２通信部４１１ｂに画像処理後の画像データが出力されるとともに、画像記憶部４２３に画像処理前の画像データおよびそれに対応付けられたレンズ特性が出力される。画像記憶部４２３は、画像処理前の画像データおよびそれに対応付けられたレンズ特性を記憶する（ステップＳ４１）。
第２通信部４１１ｂは、第１通信部４１１ａに画像処理後の画像データを送信する（ステップＳ４２）。
【０１０２】
第１通信部４１１ａは、第２通信部４１１ｂから画像処理後の画像データを受信する（ステップＳ４３）。
画像処理後の画像データは、第２通信部４１１ｂから本体側制御部４０８の表示画像信号処理部４１３に入力される。表示画像信号処理部４１３は、画像処理後の画像データを表示部１５に表示できる画像表示データに変換する。画像表示データは表示部１５に入力されるとともに、キャッシュメモリに記憶される。表示部１５はキャッシュメモリに記憶された画像処理された被写体の画像と同一の画像を表示する（ステップＳ９）。
【０１０３】
上記の構成によれば、画像処理部４１９がレンズユニット４０５に備えられ、レンズユニット４０５および画像処理部４１９がカメラ本体４０３に同時に着脱される。そのため、新しいレンズ特性を有するレンズユニットや、新しい画像処理アルゴリズムで画像処理する必要があるレンズユニットに交換されても、新しいレンズ特性や新しい画像処理アルゴリズムを用いて画像処理ができ、容易に良好な画像を得ることができる。
【０１０４】
〔第３の実施形態の変形例〕
次に、本発明の第３の実施形態の変形例について図１１および図１２を参照して説明する。
本変形例のカメラの基本構成は、第３の実施形態と同様であるが、第３の実施形態とは、撮像画像処理方法が異なっている。よって、本変形例においては、図１１および図１２を用いて撮像画像処理方法の変更に関する構成および処理方法周辺のみを説明し、その他の構成要素等の説明を省略する。
図１１は、本変形例に係るカメラの全体構成を説明するブロック図である。
なお、第３の実施形態と同一の構成要素については、同一の符号を付してその説明を省略する。
【０１０５】
本変形例に係るカメラ５０１は、第３の実施形態と同様に、ＣＣＤなどの撮像素子を用いて被写体の像を撮像するデジタル電子カメラである。
カメラ５０１は、図１１に示すように、カメラ本体５０３と、レンズユニット４０５とを備えている。
【０１０６】
カメラ本体５０３は、被写体の像を撮像する撮像素子７などを内部に搭載するものであり、カメラ本体５０３にはレンズユニット４０５が着脱可能に取り付けられている。カメラ本体５０３は、図１１に示すように、筐体３Ａと、撮像素子７と、本体側制御部５０８と、第１通信部４１１ａと、表示部１５と、を備えている。
【０１０７】
本体側制御部５０８には、信号処理回路５０９と、表示画像信号処理部５１３とが備えられている。また、本体側制御部５０８には、本体側入力部１４が配置されている。
【０１０８】
信号処理回路５０９は、撮像素子７から出力された撮像データを信号処理して画像データを生成するものである。信号処理回路５０９には、撮像素子７から撮像データが入力される。信号処理回路５０９において信号処理された画像データは、第１通信部４１１ａに出力される。
【０１０９】
表示画像信号処理部５１３は、画像処理前の画像データや画像処理後の画像データを信号処理して画像表示データを生成するものである。表示画像信号処理部５１３には、第１通信部４１１ａから正処理前の画像データや画像処理後の画像データが入力される。表示画像信号処理部５１３からは、表示部１５に画像表示データが出力される。
【０１１０】
次に、上記の構成からなるカメラ５０１における動作および撮像画像処理方法について説明する。
図１２は、図１１のカメラの動作を説明するフローチャートである。
本変形例におけるカメラ５０１の動作は、画像の取得（ステップＳ１）からデータ記録（ステップＳ４１）までは、第３の実施形態と同様であるので、その説明を省略する。
【０１１１】
画像処理前の画像データおよび画像処理後の画像データは、画像処理部４１９から第２通信部４１１ｂに入力される。第２通信部４１１ｂは、第１通信部４１１ａに画像処理前の画像データおよび画像処理後の画像データを送信する（ステップＳ５２）。
【０１１２】
第１通信部４１１ａは、第２通信部４１１ｂから画像処理前の画像データおよび画像処理後の画像データを受信する（ステップＳ５３）。
表示画像信号処理部５１３には、第１通信部４１１ａから画像処理前の画像データおよび画像処理後の画像データが入力される。表示画像信号処理部５１３は、画像処理前および画像処理後の画像データを表示部１５が表示できる画像表示データに変換する。画像処理前および画像処理後の画像表示データは表示部１５に入力されるとともに、キャッシュメモリに記憶される。表示部１５は画像処理前および画像処理後の画像を比較表示する（ステップＳ５４）。
【０１１３】
撮影者は、表示部１５に表示された画像処理前および画像処理後の画像のどちらを保存するか選択する（ステップＳ５５）。
画像記憶部４２３には、選択された画像データが記憶される（ステップＳ５６）。具体的には、画像処理前の画像が選択された場合には、その選択情報が通信部４１１を介して画像処理部４１９に入力され、画像処理部４１９の指示に基づいて画像処理前の画像データが、そのまま画像記憶部４２３に保存される。一方、画像処理後の画像が選択された場合には、更に画像処理後の画像データが、レンズ特性と対応付けて画像記憶部４２３に保存される。
【０１１４】
上記の構成によれば、撮影者は、表示部１５に表示された画像処理前および画像処理後の表示画像を比較することで、画像データに意図した画像処理を施すことができたか否かを判断することができるとともに、画像処理後の画像データを保存するか否かを選択することができる。
【図面の簡単な説明】
【０１１５】
【図１】本発明の第１の実施形態に係るカメラの全体構成を説明するブロック図である。
【図２】図１のカメラの動作を説明するフローチャートである。
【図３】本発明の第１の実施形態の変形例に係るカメラの全体構成を説明するブロック図である。
【図４】図３のカメラの動作を説明するフローチャートである。
【図５】本発明の第２の実施形態に係るカメラの全体構成を説明するブロック図である。
【図６】図５のカメラの動作を説明するフローチャートである。
【図７】本発明の第２の実施形態の変形例に係るカメラの全体構成を説明するブロック図である。
【図８】図７のカメラの動作を説明するフローチャートである。
【図９】本発明の第３の実施形態に係るカメラの全体構成を説明するブロック図である。
【図１０】図９のカメラの動作を説明するフローチャートである。
【図１１】本発明の第３の実施形態の変形例に係るカメラの全体構成を説明するブロック図である。
【図１２】図１１のカメラの動作を説明するフローチャートである。
【符号の説明】
【０１１６】
１，１０１，２０１，３０１，４０１，５０１  カメラ
３，１０３，２０３，３０３，４０３，５０３  カメラ本体
５，２０５，４０５  レンズユニット
７  撮像素子（撮像手段）
１７  レンズ系（撮像光学系）
１９，１１９，２１９，４１９  画像処理部（画像処理手段）
１１ａ  第１通信部（光学特性読取部）
２３，２２３，４２３  画像記憶部
２１，２２１，４２１  レンズ特性記憶部（光学特性記憶部）
【図１】
2008091999.tif 000003
【図２】
2008091999.tif 000004
【図３】
2008091999.tif 000005
【図４】
2008091999.tif 000006
【図５】
2008091999.tif 000007
【図６】
2008091999.tif 000008
【図７】
2008091999.tif 000009
【図８】
2008091999.tif 000010
【図９】
2008091999.tif 000011
【図１０】
2008091999.tif 000012
【図１１】
2008091999.tif 000013
【図１２】
2008091999.tif 000014